(57)【要約】【課題】フック部材が設けられた一方端をいずれの方向からつまんでも、フック部材に触れることなくつまみやすく、フック部材に指が触れたとしても痛みを感じにくい止着テープを提供する。【解決手段】テープ基材２の一方端に形成されるつまみ部３と、テープ基材２の他方端に形成されて使い捨ておむつ本体に取り付けられる固定部４とを有し、一方端から他方端にかけて延びる縦方向ｙと、縦方向ｙに垂直な横方向ｘとを有する止着テープ１であって、つまみ部３にはフック・ループ・ファスナーのフック部材５が取り付けられ、フック部材５がテープ基材２の外縁よりも内方に位置し、フック部材２が一方端側に凸状の曲線形状を有する止着テープ。【選択図】図１
2011183059.tif 000002
【特許請求の範囲】
【請求項１】
テープ基材の一方端に形成されるつまみ部と、テープ基材の他方端に形成されて使い捨ておむつ本体に取り付けられる固定部とを有し、前記一方端から前記他方端にかけて延びる縦方向と、縦方向に垂直な横方向とを有する止着テープであって、
前記つまみ部には、フック・ループ・ファスナーのフック部材が取り付けられ、
前記フック部材は、前記テープ基材の外縁よりも内方に位置し、
前記フック部材は、前記一方端側に凸状の曲線形状を有することを特徴とする止着テープ。
【請求項２】
前記フック部材は、凸状の曲線形状である請求項１に記載の止着テープ。
【請求項３】
前記フック部材は、前記テープ基材の外縁から５ｍｍ以上内方に位置する請求項１または２に記載の止着テープ。
【請求項４】
前記フック部材は、前記横方向の両端部間の前記一方端側に位置する外縁が、前記テープ基材の外縁から２５ｍｍ以内の領域にある請求項１〜３のいずれか一項に記載の止着テープ。
【請求項５】
前記フック部材の前記一方端側の端部から前記テープ基材の外縁までの前記縦方向の長さが、前記フック部材の前記横方向の端部から前記テープ基材の外縁までの前記横方向の長さよりも長い請求項１〜４のいずれか一項に記載の止着テープ。
【請求項６】
前記テープ基材は、前記一方端が、多角形の一部からなり３，４または５個の頂点を有する形状を有する請求項１〜５のいずれか一項に記載の止着テープ。
【請求項７】
請求項１〜６のいずれか一項に記載の止着テープを備えた使い捨ておむつであって、
前記使い捨ておむつは、前腹部と後背部とこれらの間に位置する股部とからなる使い捨ておむつ本体を有し、
前記止着テープが、前記固定部で、使い捨ておむつ本体の前腹部または後背部の側端部に取り付けられていることを特徴とする使い捨ておむつ。
【発明の詳細な説明】
【技術分野】
【０００１】
本発明は、止着テープおよびこの止着テープを備えた使い捨ておむつに関するものである。
【背景技術】
【０００２】
従来、止着テープを備えた使い捨ておむつが知られている。止着テープとしては、例えば、フック部材とループ部材とからなるフック・ループ・ファスナーを利用するものがある。使い捨ておむつに取り付けられる止着テープとして、例えば特許文献１には、テープ基材の一方端に略四角形のフック部材が取り付けられた止着テープが開示されている。
【先行技術文献】
【特許文献】
【０００３】
【特許文献１】特開２００６−２４７１７９号公報
【発明の概要】
【発明が解決しようとする課題】
【０００４】
しかし、特許文献１に開示された止着テープは、フック部材の形状が四角形であるため、止着テープをつまんでフック部材の角に指が触れると、痛みを伴う。また、フック部材の形状が四角形であると、フック部材の周囲で、止着テープをつまみやすい部分とつまみにくい部分が形成されやすい。
【０００５】
本発明は前記事情に鑑みてなされたものであり、その目的は、フック部材が設けられた一方端をいずれの方向からつまんでも、フック部材に触れることなくつまみやすく、フック部材に指が触れたとしても痛みを感じにくい止着テープ、およびそれを備えた使い捨ておむつを提供することにある。
【課題を解決するための手段】
【０００６】
前記課題を解決することができた本発明の止着テープとは、テープ基材の一方端に形成されるつまみ部と、テープ基材の他方端に形成されて使い捨ておむつ本体に取り付けられる固定部とを有し、一方端から他方端にかけて延びる縦方向と、縦方向に垂直な横方向とを有する止着テープであって、つまみ部にはフック・ループ・ファスナーのフック部材が取り付けられ、フック部材がテープ基材の外縁よりも内方に位置し、フック部材が一方端側に凸状の曲線形状を有するところに特徴を有する。
【０００７】
本発明の止着テープは、フック部材がテープ基材の外縁より内方に位置するため、止着テープをいずれの方向から取り扱っても、フック部材に触れずに、フック部材の周囲に形成されたテープ基材の余白の任意の部分をつまむことが容易になる。また、フック部材が一方端側に凸状の曲線形状を有するため、テープ基材の一方端を縦方向または横方向からつまんだ際、指がフック部材の外縁に触れても痛みを感じにくい。特に、多数のおむつを取り扱う介護者の場合、本発明の止着テープを備えた使い捨ておむつであれば、おむつ着用者のいずれの方向からでも止着テープのつまみ部を使い捨ておむつ本体から外しやすく、止着テープのフック部材の外縁に指が触れても指先を切るおそれが少なくなる。従って、止着テープの取り扱い性が良好となる。
【０００８】
フック部材は、凸状の曲線形状であることが好ましい。この場合、フック部材は、外縁全体が凸状の曲線形状となるため、止着テープをいずれの方向からつまんでも、フック部材の外縁に指が触れた際に痛みを感じにくくなる。
【０００９】
フック部材は、テープ基材の外縁から５ｍｍ以上内方に位置することが好ましい。フック部材がテープ基材の外縁から５ｍｍ以上内方に位置すれば、テープ基材にはフック部材の周囲に十分余白が形成され、テープ基材の余白をつまみやすくなる。
【００１０】
フック部材は、横方向の両端部間の一方端側に位置する外縁が、テープ基材の外縁から２５ｍｍ以内の領域にあることが好ましい。この場合、テープ基材の一方端やその近辺に余白が過剰に形成されにくくなり、止着テープの取り扱い性が向上する。
【００１１】
フック部材の一方端側の端部からテープ基材の外縁までの縦方向の長さが、フック部材の横方向の端部からテープ基材の外縁までの横方向の長さよりも長いことが好ましい。止着テープがこのように形成されていれば、止着テープを横方向からつまむよりも縦方向から（一方端側から）つまむ方がフック部材の外縁に触れずにつまむことが容易になる。止着テープは一般に縦方向から（一方端側から）つまむ方が多く、従って、止着テープの取り扱い性が向上する。
【００１２】
テープ基材は、一方端が、多角形の一部からなり３，４または５個の頂点を有する形状を有していてもよい。テープ基材の一方端がこのように形成されていれば、テープ基材の頂点部分をつまむことが容易になるとともに、隣接する頂点に挟まれた辺部分はテープ基材の余白が頂点部分より狭く形成され、余白部分が他の部材や着衣等に引っ掛かりにくくなる。従って、止着テープの取り扱い性が向上する。
【００１３】
本発明はまた、本発明の止着テープを備えた使い捨ておむつであって、前腹部と後背部とこれらの間に位置する股部とからなる使い捨ておむつ本体を有し、止着テープが、固定部で使い捨ておむつ本体の前腹部または後背部の側端部に取り付けられている使い捨ておむつも提供する。本発明の使い捨ておむつは、着用状態において、いずれの方向からでも使い捨ておむつ本体から止着テープのつまみ部を外しやすい。また、テープ基材の一方端をつまんだ際、指がフック部材の外縁に触れても痛みを感じにくくなる。
【発明の効果】
【００１４】
本発明の止着テープおよび使い捨ておむつは、フック部材が設けられた一方端をいずれの方向からつまんでも、フック部材に触れることなくつまみやすく、フック部材に指が触れたとしても痛みを感じにくい。
【図面の簡単な説明】
【００１５】
【図１】本発明の止着テープの一例を表す。
【図２】本発明の止着テープの一例を表す。
【図３】本発明の止着テープの一例を表す。
【図４】本発明の止着テープの一例を表す。
【図５】本発明の止着テープを備えた使い捨ておむつの一例を表す。
【図６】図５のＡ−Ａ断面図を表す。
【発明を実施するための形態】
【００１６】
本発明の止着テープは、テープ基材の一方端に形成されるつまみ部と、テープ基材の他方端に形成されて使い捨ておむつ本体に取り付けられる固定部とを有する。また止着テープは、一方端から他方端にかけて延びる縦方向と、縦方向に垂直な横方向とを有する。なお、縦方向と横方向はテープ基材の同一面上にある。
【００１７】
つまみ部は、テープ基材の一方端に形成される。つまみ部には、フック・ループ・ファスナーのフック部材が取り付けられる。フック部材としては、例えば、錨形や鉤形やきのこ型等の形状のフックを有する部材を採用すればよい。フック部材はつまみ部に取り付けられ、固定部には取り付けられないことが好ましい。また、フック部材は、テープ基材の一方の面のみに取り付けられることが好ましい。
【００１８】
固定部は、テープ基材の他方端に形成され、使い捨ておむつ本体に取り付けられる部分である。使い捨ておむつ本体としては、例えば、止着テープを有しない使い捨ておむつが挙げられる。固定部は、例えば、接着剤が塗布されたり熱融着や超音波接着されることにより使い捨ておむつ本体に固定される。本発明の止着テープにおいては、使い捨ておむつ本体に取り付けられる部分を固定部と規定し、それ以外の部分をつまみ部と規定する。
【００１９】
フック部材は、テープ基材の外縁より内方に位置するように設けられる。すなわち、テープ基材の外縁はフック部材を取り囲むように位置し、テープ基材には、フック部材の周囲（フック部材の外縁からテープ基材の外縁にかけて）に余白が形成される。フック部材がテープ基材の外縁より内方に位置すれば、止着テープをいずれの方向から取り扱っても、フック部材に触れずに、フック部材の周囲に形成されたテープ基材の余白の任意の部分をつまむことが容易になる。従って、例えば、本発明の止着テープが備えられた使い捨ておむつを着用した人をベッドに寝かせた状態で介護者がおむつを脱がせる際、おむつを着用した人の真横からでも足側や上半身側からでもテープ基材の余白をつまみやすい。従って、テープ基材の余白をつまんで引っ張ることで、つまみ部を使い捨ておむつ本体から外しやすくなる。
【００２０】
フック部材は、テープ基材の外縁から５ｍｍ以上内方に位置することが好ましく、７ｍｍ以上内方に位置することがより好ましく、１０ｍｍ以上内方に位置することがさらに好ましい。詳細には、フック部材の全体がテープ基材の外縁から５ｍｍ以上内方に位置することが好ましい。フック部材がテープ基材の外縁から５ｍｍ以上内方に位置すれば、テープ基材にはフック部材の周囲に十分余白が形成され、テープ基材の余白をつまみやすくなる。
【００２１】
フック部材は、横方向の両端部間の一方端側に位置する外縁が、テープ基材の外縁から２５ｍｍ以内（より好ましくは２０ｍｍ以内）の領域にあることが好ましい。すなわち、フック部材は止着テープの横方向に２つの端部を有するが、フック部材の横方向の両端部間の外縁であってテープ基材の一方端側に位置する外縁全体が、テープ基材の外縁から２５ｍｍ以内の領域にあることが好ましい。テープ基材の一方端やその近辺に余白が過剰に形成されると、余白部分が他の部材や着衣等に引っ掛かったりして、止着テープの取り扱い性が悪化するおそれがある。従って、フック部材の横方向の両端部間の一方端側に位置する外縁がテープ基材の外縁から２５ｍｍ以内の領域にあれば、止着テープの取り扱い性が向上する。
【００２２】
フック部材の一方端側の端部からテープ基材の外縁までの縦方向の長さは、フック部材の横方向の端部からテープ基材の外縁までの横方向の長さよりも長いことが好ましい。止着テープがこのように形成されていれば、止着テープを横方向からつまむよりも縦方向から（一方端側から）つまむ方がフック部材の外縁に触れずにつまむことが容易になる。止着テープは一般に縦方向から（一方端側から）つまむ方が多く、従って、止着テープの取り扱い性が向上する。
【００２３】
フック部材は、テープ基材の一方端側に凸状の曲線形状を有する。つまり、テープ基材にフック部材が取り付けられる領域の外縁が、テープ基材の一方端側に凸状の曲線形状を有する。フック部材の形状は一方端側に凸状の曲線を有する限り特に限定されないが、一方端側に凸状の曲線を１つのみ有する形状であることが好ましい。本発明において、凸状の曲線形状には一部に直線が含まれていてもよい。この場合、凸状の曲線形状は、少なくとも一方端側でほぼ滑らかに形成されることが好ましい。すなわち、凸状の曲線形状は、少なくとも一方端側で角部が形成されないことが好ましい。一方端側に凸状の曲線を有する形状としては、円、楕円、卵形、角の丸まった長方形、およびそれらの図形の一部（具体的には例えば、それらの図形が直線で切り取られた図形）等が挙げられる。
【００２４】
フック部材が一方端側に凸状の曲線形状を有していれば、テープ基材の一方端を縦方向または横方向からつまんだ際、介護者や着用者の指がフック部材の外縁に触れても痛みを感じにくくなる。特に、多数のおむつを取り扱う介護者の場合、フック部材の外縁がとがっていると、フック部材のとがった外縁が指に何回も触れて指先を切るおそれがある。この場合、介護者にとって、排泄物を収容したおむつの取り扱う際の健康衛生上の問題が生じるおそれがある。しかし、本発明の止着テープによれば、そのような懸念を抱かなくてすみやすくなる。
【００２５】
また、フック部材が一方端側に凸状の曲線形状を有していれば、フック部材の一方端を引っ張って、使い捨ておむつ本体に着脱可能に接合されたつまみ部を使い捨ておむつ本体から外す際、フック部材の曲線形状の部分を基点にして、止着テープを使い捨ておむつ本体から外しやすくなる。
【００２６】
フック部材の凸状の曲線形状部分は、縦方向に８ｍｍ以上の長さを有することが好ましく、１０ｍｍ以上の長さを有することがより好ましく、１５ｍｍ以上の長さを有することがさらに好ましい。フック部材の凸状の曲線形状部分が縦方向に８ｍｍ以上の長さを有していれば、止着テープの一方端を横方向からつまんだ際にフック部材の外縁に指が触れても、フック部材の外縁の指が触れた部分は凸状の曲線形状部分となりやすくなる。従って、フック部材の外縁に指が触れても痛みを感じにくくなる。
【００２７】
フック部材の縦方向の長さの上限は特に限定されないが、止着テープの取り扱い容易性の点から、フック部材の縦方向の長さは５０ｍｍ以下が好ましく、４０ｍｍ以下がより好ましく、３０ｍｍ以下がさらに好ましい。
【００２８】
フック部材の形状としては、凸状の曲線形状であることが好ましい。凸状の曲線形状とは、フック部材全体が外方に凸状の曲線形状を有することを意味する。この場合も、凸状の曲線形状の外縁は、角部が形成されない限り直線部分が含まれていてもよい。そのような形状としては、円、楕円、卵形、角の丸まった長方形等が挙げられる。フック部材が凸状の曲線形状であれば、止着テープをいずれの方向からつまんでも、フック部材の外縁に指が触れた際に痛みを感じにくくなる。
【００２９】
止着テープの形状は、特に限定されない。止着テープの形状は、例えば、四角形、五角形、六角形等の多角形や楕円形等であってもよいが、細長い形状であることが好ましい。
【００３０】
止着テープは、固定部が形成される他方端が直線状の輪郭を有することが好ましい。この場合、止着テープの製造が容易になるとともに、止着テープの使い捨ておむつ本体への取り付けが容易になる。
【００３１】
止着テープは、つまみ部が形成されるテープ基材の一方端が凸状の形状を有することが好ましい。例えば、テープ基材の一方端は、弧状、蛇行線状、多角形の一部の形状の輪郭を有することが好ましい。テープ基材の一方端がこのような形状の輪郭を有していれば、テープ基材の一方端をつまみやすくなるとともに、フック部材の周囲に形成される余白をつまみやすくなり、止着テープの取り扱い性が向上する。
【００３２】
テープ基材は、一方端が、多角形の一部からなり３，４または５個の頂点を有する形状を有することが好ましい。このような形状として例えば、正六角形の一部であり正六角形の３つの頂点を含む形状、正八角形の一部であり正八角形の４つの頂点を含む形状、正十角形の一部であり正十角形の５つの頂点を含む形状等が挙げられる。テープ基材の一方端が、多角形の一部からなり３，４または５個の頂点を有する形状を有していれば、テープ基材の頂点部分をつまむことが容易になるとともに、隣接する頂点に挟まれた辺部分はテープ基材の余白が頂点部分より狭く形成され、余白部分が他の部材や着衣等に引っ掛かりにくくなる。従って、止着テープの取り扱い性が向上する。
【００３３】
テープ基材に用いられる材料としては、不織布、織布、編布、プラスチックフィルム、不織布とプラスチックフィルムとの積層体等を使用できる。前記積層体としては、例えば、不織布とプラスチックフィルムとが一層ずつ重ねられたものや、プラスチックフィルムを不織布で挟んで重ねられたものが示される。
【００３４】
テープ基材としては、不織布または不織布とプラスチックフィルムとの積層体を用いることが好ましい。なお、不織布とプラスチックフィルムとの積層体を用いる場合は、フック部材が取り付けられる面が不織布であることが好ましい。この場合、止着テープをつまみ部で折り返してフック部材をつまみ部に接合して仮留めできるようになる。止着テープの未使用時には、フック部材をつまみ部に仮留めすることによりフック部材が意図せずに他の部材に接合しにくくなり、止着テープの取り扱いが良好となる。
【００３５】
テープ基材に用いられる不織布としては、スパンボンド法、エアースルー法、ポイントボンド法、メルトブロー法、エアレイド法やそれらの製法の組み合わせ等により製造される不織布が好ましい。さらに、スパンボンド法、またはスパンボンド法とメルトブロー法を組み合わせたＳＭＳ法により製造された不織布が好ましく、特にスパンボンド法により製造された不織布が好ましい。このような不織布を用いれば、高強度のテープ基材が得やすくなる。
【００３６】
テープ基材に用いられる不織布の材質としては、ポリプロピレン、ポリエチレン、ポリエステル、ポリアミド等の合成繊維、パルプ、絹等の天然繊維から適宜選択できる。中でも、ポリプロピレン、ポリエチレン、ポリエステル等の合成繊維が好ましく、ポリプロピレン繊維、ポリエステル繊維がより好ましい。このような材質から得られる不織布を用いれば、高強度のテープ基材が得やすくなる。
【００３７】
テープ基材に用いられる不織布の目付は、５０ｇ／ｍ2以上が好ましく、５５ｇ／ｍ2以上がより好ましく、また１００ｇ／ｍ2以下が好ましく、８５ｇ／ｍ2以下がより好ましい。不織布の目付が５０ｇ／ｍ2以上であれば、テープ基材が引っ張っても破れない程度の十分な強度を有するようになる。不織布の目付が１００ｇ／ｍ2以下であれば、テープ基材が堅くなりすぎず、テープ基材の縁が指に当たっても痛みを感じにくくなる。
【００３８】
テープ基材に用いられる不織布は、エンボス加工されていることが好ましい。エンボス加工された不織布は部分的に不織布が圧縮され剛性が高められているため、フック部材の周囲に形成されるテープ基材の余白部分がたるみにくくなり、余白部分をつまみやすくなる。
【００３９】
本発明の止着テープの一例について、図１〜図４を参照して説明する。図１〜図４は、本発明の止着テープの例の平面図を表している。
【００４０】
図１〜図４に示した止着テープ１はいずれも、テープ基材２の一方端に形成されるつまみ部３と、他方端に形成される固定部４とを有する。図では、つまみ部３と固定部４を、便宜的に点線で区分して表示している。また、図では、止着テープ１の右側がテープ基材の一方端を、左側がテープ基材の他方端を表している。つまみ部３には、フック・ループ・ファスナーのフック部材５が取り付けられ、フック部材５はテープ基材２の外縁よりも内方に位置し、一方端側に凸状の曲線形状を有している。図１〜図４に示した止着テープ１は、フック部材５がテープ基材２の外縁よりも内方に位置しているため、テープ基材１の一方端をフック部材５に触れることなくつまみやすい。
【００４１】
図１に示した止着テープ１では、フック部材５は一方端側に凸状の曲線形状を有し、他方端側は直線形状を有している。また、フック部材５の一方端側の端部からテープ基材２の外縁までの縦方向ｙの長さ６が、フック部材５の横方向ｘの端部からテープ基材２の外縁までの横方向ｘの長さ７とほぼ同じ長さを有している。図１に示した止着テープ１は、テープ基材２の一方端を縦方向ｙまたは横方向ｘからつまんだ際、フック部材５が一方端側に凸状の曲線形状を有しているため、指がフック部材５の外縁に触れても痛みを感じにくい。
【００４２】
図２に示した止着テープ１は、フック部材５が凸状の曲線形状である。図２では、フック部材５が円形である。また、フック部材５の一方端側の端部からテープ基材２の外縁までの縦方向ｙの長さ６が、フック部材５の横方向ｘの端部からテープ基材２の外縁までの横方向ｘの長さ７よりも長い。図２に示した止着テープ１は、フック部材５が凸状の曲線形状であるため、止着テープ１をいずれの方向からつまんでも、フック部材５の外縁に指が触れた際に痛みを感じにくい。また、長さ６が長さ７よりも長いため、止着テープ１を一方端側からつまんだ際、フック部材５の外縁に触れずにつまむことが容易になる。
【００４３】
図３に示した止着テープは、図２に示した止着テープとはテープ基材の一方端側の外縁形状が異なる。図３に示した止着テープ１は、テープ基材２の一方端が、多角形の一部からなり３個の頂点を有する形状を有している。そのため、頂点部分をつまむことが容易になる。一方、隣接する頂点に挟まれた辺部分はテープ基材２の余白が狭く形成され、余白部分が他の部材や着衣等に引っ掛かりにくくなる。従って、止着テープ１の取り扱い性が向上する。
【００４４】
図４に示した止着テープ１は、テープ基材２の一方端が２つの凸形状を有し、各凸形状の部分にフック部材５が１つずつ取り付けられている。止着テープ１は、図４に示すように、フック部材５が複数設けられていてもよい。この場合、おむつ着用の際、着用者の体型に合わせて腰周りや胴周りの寸法を調整しやすくなる。
【００４５】
図１〜図４に示すように、止着テープはテープ基材の一方端が１つまたは２つ以上の凸形状を有し、各凸形状の部分にフック部材が１つずつ取り付けられることが好ましい。すなわち、図１〜図３では、止着テープ１は、テープ基材２の一方端が凸形状を１つ有し、テープ基材２の一方端にフック部材５が１つ取り付けられている。図４では、止着テープ１は、テープ基材２の一方端が凸形状を２つ有し、テープ基材２の一方端にフック部材５が１つずつ合計２つ取り付けられている。このようにフック部材が取り付けられることにより、フック部材の凸状の曲線形状が大きい曲率半径を有しやすくなり、フック部材の外縁に指が触れても痛みを感じにくくなる。
【００４６】
テープ基材の一方端が２つ以上の凸形状を有する場合は、全ての凸形状の部分にフック部材が取り付けられなくてもよい。例えば、テープ基材の一方端が２つ以上の凸形状を有し、フック部材はテープ基材に１つのみ取り付けられてもよい。この場合でも、フック部材の凸状の曲線形状が大きい曲率半径を有しやすくなり、フック部材の外縁に指が触れても痛みを感じにくくなる。
【００４７】
次に、本発明の止着テープを備えた使い捨ておむつについて説明する。本発明の使い捨ておむつは、前腹部と後背部とこれらの間に位置する股部とからなる使い捨ておむつ本体を有し、止着テープが固定部で使い捨ておむつ本体の前腹部または後背部の側端部に取り付けられている。なお、使い捨ておむつを着用の際に、着用者の腹側に当てる部分を前腹部と称し、着用者の尻側に当てる部分を後背部と称し、前腹部と後背部との間に位置し着用者の股間に当てる部分を股部と称する。
【００４８】
使い捨ておむつ本体は、例えば、液透過性のトップシートと液不透過性のバックシートとの間に吸収性コアが挟み込まれた積層体を有し、この積層体が前腹部と後背部とこれらの間に位置する股部とを有するものであってもよい。また、使い捨ておむつ本体は、前腹部と後背部とこれらの間に位置する股部とを有する外装シートと、液透過性のトップシートと液不透過性のバックシートとの間に吸収性コアが挟み込まれた吸収性本体とを有し、吸収性本体が外装シートの股部の着用者側の面に配されているものであってもよい。
【００４９】
使い捨ておむつは、テープ基材の固定部を使い捨ておむつ本体に固定することにより、止着テープが取り付けられる。テープ基材の固定部は、例えば、使い捨ておむつ本体を構成する２つの部材間に取り付けられてもよく、使い捨ておむつ本体を構成する部材の片面に取り付けられてもよい。テープ基材の固定部は、例えば、トップシートとバックシートとの間に取り付けられたり、サイドシートとバックシートとの間に取り付けられたり、外装シートの片面に取り付けられたりする。
【００５０】
止着テープは、前腹部の左側端部、前腹部の右側端部、後背部の左側端部、および後背部の右側端部よりなる群から選ばれる少なくとも１ヶ所に取り付けられる。好ましくは、前腹部の左側端部と右側端部に、または後背部の左側端部と右側端部に、一対の止着テープが取り付けられる。
【００５１】
使い捨ておむつ本体には、止着対応部が設けられることが好ましい。止着対応部とは、止着テープのフック部材と着脱自在に接合可能な部分または部材を意味する。止着テープが前腹部に取り付けられる場合は、止着対応部が、使い捨ておむつ本体の後背部に設けられることが好ましい。また、止着テープが後背部に取り付けられる場合は、止着対応部が、使い捨ておむつ本体の前腹部に設けられることが好ましい。
【００５２】
止着テープは、フック部材を有する面が着用者側に面するように、使い捨ておむつ本体に取り付けられることが好ましい。この場合、止着対応部は、使い捨ておむつ本体の外面、すなわち着用者に面する側と反対側に設けられることが好ましい。
【００５３】
従って、本発明においては、一対の止着テープが、前腹部または後背部の左側端部と右側端部に、フック部材が取り付けられる面が着用者側に面するように使い捨ておむつ本体に取り付けられ、止着対応部が、使い捨ておむつ本体の外面の後背部または前腹部に設けられることが好ましい。この場合、使い捨ておむつを着用するには、後背部に取り付けられた止着テープを、前腹部に設けられた止着対応部と接合させたり、前腹部に取り付けられた止着テープを、後背部に設けられた止着対応部と接合させたりする。
【００５４】
本発明の使い捨ておむつは、着用状態において、止着テープをいずれの方向からでも使い捨ておむつ本体から外すことが容易になる。また、テープ基材の一方端をつまんだ際、指がフック部材の外縁に触れても痛みを感じにくくなる。本発明の使い捨ておむつは、特に介護者が使い捨ておむつを着用した人をベッドに寝かせた状態でおむつを脱がせる際、テープ基材の余白の任意の部分をつまみやすく、また介護者の指がフック部材の外縁に触れても痛みを感じにくい。従って、止着テープのつまみ部を使い捨ておむつ本体から外しやすい。
【００５５】
次に、本発明の使い捨ておむつの各部材の材料について説明する。トップシートは液透過性の不織布等により構成され、バックシートと外装シートは液不透過性のプラスチックフィルムや撥水性不織布等により構成されることが好ましい。外装シートは、また、親水性不織布と、液不透過性のプラスチックフィルムまたは撥水性不織布等の撥水性材料からなる積層体であってもよい。
【００５６】
トップシートやバックシートが不織布により構成される場合、トップシートやバックシートに用いられる不織布の目付は、止着テープに用いられる不織布の目付よりも少ない方が好ましい。トップシートやバックシートに用いられる不織布の目付は、例えば、５ｇ／ｍ2〜３５ｇ／ｍ2である。
【００５７】
吸収性コアは、例えば、粉砕したパルプ繊維やセルロース繊維等の親水性繊維集合層に粒状の吸水性樹脂を混合した塊を、ティッシュペーパーなどの紙シートまたは液透過性不織布シート等の被覆シートで包み、長方形、砂時計型、ひょうたん型、羽子板型等の所定形状に成形することにより得られる。
【００５８】
止着対応部は、フック部材が接合可能な材料で構成されていることが好ましく、具体的にはループ部材を用いることが好ましい。ループ部材としては、不織布、織布、編布や、不織布または織布を表面に有するプラスチックフィルム複合材料等を用いることができる。前記各材料には、表面にループ構造が形成されていることが好ましい。また、例えば、止着対応部が使い捨ておむつ本体の外面に設けられる場合、バックシートや外装シートが止着対応部として機能する材料で作られていれば、止着対応部として機能する他の部材を取り付けなくてもよい。
【００５９】
使い捨ておむつの様々な構成部材を接合するための接合手段としては、接着剤、熱接着、超音波接着等を用いることができる。接着剤としては、ポリオレフィン系、ゴム系、酢酸ビニル系等のホットメルト接着剤を使用することができる。
【００６０】
本発明の使い捨ておむつの一例について、図５および図６を参照して説明する。図５は本発明の使い捨ておむつの一例を表し、図６は図５のＡ−Ａ断面図を表す。図５および図６では、矢印Ｘを左右方向とし、矢印Ｙを前後方向と定義付ける。また、矢印Ｘ，Ｙにより形成される面に対して垂直方向を上下方向（厚み方向）Ｚと定義付ける。
【００６１】
使い捨ておむつ１０は、前腹部Ｐと後背部Ｑとこれらの間に位置する股部Ｒとからなる使い捨ておむつ本体１１を有する。股部Ｒには、着用者の脚を通しやすくするために、レッグ用切欠２４が形成されている。
【００６２】
使い捨ておむつ本体１１は、液透過性のトップシート１２と液不透過性のバックシート１３との間に吸収性コア１４が挟み込まれた積層体を有し、この積層体が前腹部Ｐと後背部Ｑとこれらの間に位置する股部Ｒとを有している。トップシート１２は、着用者の肌に面するように配置され、尿等の排泄物を透過する。トップシート１２を透過した排泄物は、吸収性コア１４により収容される。バックシート１３は、排泄物が外部へ漏れるのを防ぎ、衣服等が汚れるのを防ぐ。
【００６３】
トップシート１２には、前後方向Ｙに延在したサイドシート１５が、使い捨ておむつ１０の左右方向Ｘの左右側端部に設けられている（図６）。サイドシート１５は、トップシート１２の左右方向Ｘの外方端に接合されている。サイドシート１５には、内方端に起立用弾性部材２２が配されている。使い捨ておむつ１０の着用時には、起立用弾性部材２２の収縮力により、サイドシート１５の内方端がトップシート１２の上方、すなわち着用者の肌に向かって立ち上がる。これにより、尿等の排泄物の左右方向Ｘの外方への漏れが防止される。サイドシート１５は、液不透過性のプラスチックフィルムや撥水性不織布等により構成されることが好ましく、撥水性の不織布により構成されることがより好ましい。サイドシートが不織布により構成される場合、目付は、好ましくは５ｇ／ｍ2〜３５ｇ／ｍ2である。
【００６４】
使い捨ておむつ１０の股部Ｒの左右側端部１９には、レッグ用弾性部材２１が伸張状態で、サイドシート１５とバックシート１３との間に配されている。レッグ用弾性部材２１の収縮力により、着用者の脚周りに沿ったレッグギャザーが形成され、股部からの尿等の排泄物の漏れが防止される。
【００６５】
使い捨ておむつ１０の前後方向Ｙの端部２０には、ウェスト用弾性部材２３が伸張状態で、トップシート１２またはサイドシート１５とバックシート１３との間に配されている。ウェスト用弾性部材２３の収縮力により、着用者の胴周りに沿ったウェストギャザーが形成され、背中側や腹部側からの尿等の排泄物の漏れが防止される。
【００６６】
使い捨ておむつ本体１１の後背部Ｑの左右の側端部１８には、図１に示された止着テープ１が取り付けられている。止着テープ１は、固定部４でサイドシート１５とバックシート１３との間に接合され、使い捨ておむつ１０の外方に延出するように設けられている。前腹部Ｐには、バックシート１３上に止着対応部１６が設けられている。
【００６７】
図５の後背部Ｑの右側の側端部１８（図面の右側であり、着用した際に着用者の右側に位置する）に取り付けられた止着テープ１は、つまみ部３が折り返されずにフック部材５が露出している状態が示されている。使い捨ておむつ１０を着用する際には、止着テープ１はこの状態で使用される。
【００６８】
図５の後背部Ｑの左側の側端部１８（図面の左側であり、着用した際に着用者の左側に位置する）に取り付けられた止着テープ１は、つまみ部３で折り返されてフック部材５がつまみ部３に接合されている。なお、テープ基材は不織布製である。使い捨ておむつ１０が未使用の状態では、止着テープ１はこの状態になっていることが好ましい。止着テープ１が、つまみ部３で折り返されてフック部材５がつまみ部３に取り外し可能に接合されていれば、使い捨ておむつ１０が未使用の状態でフック部材５が意図せず他部材に接合しなくなり、使い捨ておむつ１０の取り扱い性が向上する。
【００６９】
止着テープ１は、使い捨ておむつ１０が未使用の状態では、つまみ部３で折り返されてフック部材５がつまみ部３に接合され、さらにつまみ部３と固定部４との境界で使い捨ておむつ本体１１の側縁に沿って折り返され、使い捨ておむつ本体１１の内面上に折り畳まれていることも好ましい。例えば、使い捨ておむつ１０が未使用で梱包容器に入っている状態では、止着テープ１がこのように折り畳まれることにより、使い捨ておむつ１０がコンパクトになり好ましい。
【符号の説明】
【００７０】
１：  止着テープ
２：  テープ基材
３：  つまみ部
４：  固定部
５：  フック部材
１０：  使い捨ておむつ
１１：  使い捨ておむつ本体
１６：  止着対応部
【図１】
2011183059.tif 000003
【図２】
2011183059.tif 000004
【図３】
2011183059.tif 000005
【図４】
2011183059.tif 000006
【図５】
2011183059.tif 000007
【図６】
2011183059.tif 000008